(57)【要約】【課題】購入者の好みを満たすことが可能な自動販売機を提供すること。【解決手段】機内で調理した飲食物を販売する自動販売機１であって、調理後に添加材を付与する添加装置１０が設けられている。自動販売機１が、カップ飲料を販売するカップ式自動販売機の場合、添加装置１０は、添加材の表示手段１１ａ，１１ｂ及び添加材の追加を選択する選択手段１１ｃ，１１ｄを設けた筐体１１と、筐体内に設けられ、添加材を収容したキャニスタとを備えている。【選択図】　　　図１
2004145602.tif 000002
【特許請求の範囲】
【請求項１】
機内で調理した飲食物を販売する自動販売機であって、
調理後に添加材を付与する添加装置が設けられていることを特徴とする自動販売機。
【請求項２】
前記飲食物がカップ飲料であることを特徴とする請求項１に記載の自動販売機。
【請求項３】
添加装置は、前記飲食物の調理後、一定時間に限り作動することを特徴とする請求項１または２に記載の自動販売機。
【請求項４】
添加装置は、前記添加材の表示手段と選択手段とを有していることを特徴とする請求項１〜３のいずれか一つに記載の自動販売機。
【発明の詳細な説明】
【０００１】
【発明の属する技術分野】
この発明は、自動販売機であって、特に、コーヒー飲料等の飲食物の販売を行う自動販売機に関するものである。
【０００２】
【従来の技術】
図５は、この種の自動販売機を示したものである。この自動販売機は、コーヒー飲料をカップに注いで販売するもので、各種の粉末原料を種類ごとに収容した複数のキャニスタＣ１〜Ｃ４を備え、購入者が選択した商品に応じ、各キャニスタＣ１〜Ｃ４から原料シュータＳｔを介して供給される所定量の粉末原料を湯配管Ｐｈから供給される湯と共にミキシングボウルＢｍ内で攪拌して調理し、調理された飲料を飲料配管Ｐｄから取出口に置かれたカップＣ内に注いで販売を終了する（例えば、特許文献１参照）。
【０００３】
【特許文献１】
特開２０００−１８２１４０号公報（第３頁、図１）
【０００４】
このようなカップ式自動販売機には、購入者の好みに合わせるため、清涼飲料水では氷、コーヒーやココア等ではクリームや砂糖等を含むトッピング材を増量する増量機能を有するものがある。例えば、このような増量機能を有するコーヒー飲料の自販機では、購入者は、レギュラー，カフェインレス，カフェオレ，カプチーノ，エスプレッソ等、複数のコーヒー飲料の中から所望のコーヒー飲料を自販機前面のパネルから選択して該当する選択釦を押すと共に、好みに応じてクリームや砂糖等、増量を望む所定のトッピング釦を押すことで、所望のトッピング材を調理前に選択している。
【０００５】
【発明が解決しようとする課題】
ところで、従来の自販機は、予めメーカーが味を調整した混合比に基づく粉末原料を湯と共にミキシングボウル内で攪拌して飲料を調理し、取出口に置かれたカップ内に調理した飲料を注いでいる。しかしながら、メーカーが調整した味が必ずしも購入者の好みと一致している訳ではなく、実際に味見するまでは好みを満たすものか否かは不明である。このため、上述のように味見をしないでトッピング材を増量したのでは、一層好みとかけ離れた味になってしまうおそれがあり、購入者の好みを満たすことが難しかった。
【０００６】
この発明は、上述した従来技術による問題点を解消するため、購入者の好みを満たすことが可能な自動販売機を提供することを目的とする。
【０００７】
【課題を解決するための手段】
上述した課題を解決し、目的を達成するため、請求項１の発明に係る自動販売機は、機内で調理した飲食物を販売する自動販売機であって、調理後に添加材を付与する添加装置が設けられていることを特徴とする。
【０００８】
請求項１の発明によれば、調理された飲食物の味見をした後に添加装置を操作して添加材を付与するようにしている。
【０００９】
また、請求項２の発明に係る自動販売機は、上記の発明において、前記飲食物がカップ飲料であることを特徴とする。
【００１０】
請求項２の発明によれば、カップ飲料を購入者の好みに合った味付けにしようとしている。
【００１１】
また、請求項３の発明に係る自動販売機は、上記の発明において、添加装置は、前記飲食物の調理後、一定時間に限り作動することを特徴とする。
【００１２】
請求項３の発明によれば、妥当な時間内にカップ飲料を購入者の好みに合った味付けにしようとしている。
【００１３】
また、請求項４の発明に係る自動販売機は、上記の発明において、添加装置は、前記添加材の表示手段と選択手段とを有していることを特徴とする。
【００１４】
請求項４の発明によれば、添加装置は、添加材を見やすく表示し、簡易に選択できるようにしている。
【００１５】
【発明の実施の形態】
以下、図面を参照して、この発明に係る自動販売機（以下、単に「自販機」という）の好適な実施の形態について説明する。
【００１６】
（実施の形態１）
まず、この発明の自販機に係る実施の形態１について説明する。図１は、この発明の実施の形態１であるコーヒー飲料のカップ式自販機を示す斜視図である。図２は、図１に示すカップ式自販機におけるトッピング装置の拡大図である。自販機１は、コーヒーパウダー，砂糖パウダー，クリームパウダーをそれぞれ収容した複数のキャニスタＣ１〜Ｃ３（図３参照）、原料シュータ、湯配管、ミキシングボウル、飲料配管及び制御装置（図３参照）がキャビネット２に内蔵され、図１に示すように、前扉２ａにコーヒー飲料の種類を選択する複数の選択釦３、取出口４及びトッピング装置１０が設けられている。
【００１７】
選択釦３は、予めメーカーが味を調整したレギュラー，カフェインレス，カフェオレ，カプチーノ，エスプレッソ等の複数のコーヒー飲料の中から所望のコーヒー飲料を選択する釦である。選択釦３は、制御装置５（図３参照）と接続され、購入者が選択したコーヒー飲料の種類に対応した選択信号を制御装置５に出力する。取出口４は、購入したコーヒー飲料を取り出す部分で、購入者が自販機１に所定金額を投入すると、キャビネット２内に格納されているカップＣが図示しない搬送手段によって搬送されてくる。
【００１８】
制御装置５は、投入金額や釣銭のチェック、キャニスタＣ１〜Ｃ３やキャニスタ１２，１３から粉末原料を含むトッピング材を放出する動作を制御する他、適正金額が投入され、コーヒー飲料が製造された後の時間をカウントするタイマー機能を備えている。即ち、制御装置５は、コーヒー飲料が調理されて、取出口４のカップＣに注がれた後、時間のカウントを開始すると共に、予め設定した時間（例えば、０．１〜１分）だけトッピング装置１０をオンにする。ここで、制御装置５は、カップＣにコーヒー飲料を注いだ後の他、コーヒー飲料が注がれたカップＣを購入者が取出口４から取り出した後から時間のカウントを開始するようにしてもよい。
【００１９】
トッピング装置１０は、コーヒー飲料の製造後、購入者の好みに応じて砂糖あるいはクリームを追加するもので、図２に示すように、筐体１１の前面にトッピング材を表示する表示窓１１ａ，１１ｂとトッピング材の増量を選択するトッピング釦１１ｃ，１１ｄが設けられている。また、トッピング装置１０は、トッピング材として砂糖パウダー及びクリームパウダーを収容したキャニスタ１２，１３（図３，４参照）及びキャニスタ１２，１３から砂糖パウダー及びクリームパウダーを放出させるアクチュエータ１４，１５が筐体１１内に設けられている。ここで、トッピング釦１１ｃは砂糖パウダーの増量用、トッピング釦１１ｄはクリームパウダーの増量用で、増量するトッピング材の選択に伴って押圧されると、選択信号が制御装置に出力される。このとき、トッピング装置１０は、トッピング釦１１ｃ，１１ｄの押圧回数や押圧時間によって砂糖パウダーやクリームパウダーの量が増加するように設定しておくと、一層購入者の好みに応じたトッピング材の追加が可能となる。また、トッピング装置１０は、キャニスタ１２，１３の位置へカップＣを案内するガイドが設けられると共に、カップＣの有無を確認するセンサ（共に図示せず）が配置されている。
【００２０】
以上のように構成される自販機１において所望のコーヒー飲料を購入するときは、先ず、購入者が所定の金額を投入し、複数の選択釦３から所望のコーヒー飲料に対応した選択釦３を押圧する。すると、取出口４にカップＣが搬送されると共に、選択信号が制御装置５へ出力され、選択したコーヒー飲料に対応したキャニスタＣ１〜Ｃ３から前記原料シュータを介して前記ミキシングボウルにコーヒーパウダー等の粉末原料がそれぞれ所定量供給される。
【００２１】
前記ミキシングボウルでは、これらの粉末原料が前記湯配管から供給された湯と攪拌されて指定されたコーヒー飲料として調理され、飲料配管からカップＣに注がれる。これと並行して、制御装置５は、時間のカウントを開始すると共に、予め設定した時間だけトッピング装置１０をオンにする。
【００２２】
購入者は、この間に取出口４からカップＣを取出してコーヒー飲料の味見をし、砂糖の量が少ないときには、カップＣを砂糖パウダーのキャニスタ１２の直下に配置し、砂糖用のトッピング釦１１ｃを押す。一方、クリームの量が少ないときには、カップＣをクリームパウダーのキャニスタ１３の直下に配置し、クリーム用のトッピング釦１１ｄを押す。すると、制御装置５は、トッピング釦１１ｃ，１１ｄからの選択信号に基づき、図４に示すように、アクチュエータ１４，１５を作動させてキャニスタ１２又はキャニスタ１３から砂糖パウダーあるいはクリームパウダーいずれかのトッピング材ＭＴをカップＣに放出させる。その後、制御装置５は、時間のカウントを終了すると共に、トッピング装置１０をオフにし、自販機１における一連の販売動作を終了させる。
【００２３】
このとき、購入者がカップＣをキャニスタ１２，１３の直下に配置することなく、トッピング釦１１ｃ，１１ｄを押圧したときには、制御装置５は、前記センサからのカップＣの不在信号に基づき、アクチュエータ１４，１５にトッピング材を放出しないように設定されている。また、購入者が、トッピング釦１１ｃ，１１ｄを両方押圧したときには、上記操作を押圧順に実行する。
【００２４】
一方、コーヒー飲料の味見をした結果、その味に満足しているとき、購入者はトッピング釦１１ｃ，１１ｄを押すことはない。このため、制御装置５は、所定時間カウントしたら、カウント動作を終了してトッピング装置１０をオフにする。これにより、自販機１は購入待機状態となる。ここで、トッピング釦１１ｃ，１１ｄの押圧操作をしたにも拘わらず、予め設定した時間内にカップＣがキャニスタ１２，１３のいずれにも配置されなかった場合、制御装置５は、時間のカウントを終了すると共に、トッピング装置１０をオフにし、自販機１を購入待機状態とする。
【００２５】
このように、自販機１にトッピング装置１０を設けたことによって、購入者は、コーヒー飲料の製造後、即ち、調理されたコーヒー飲料を味見してからトッピング材を追加することができる。このため、自販機１は、一層購入者の好みを満たしたコーヒー飲料を販売することができるようになる。また、トッピング装置１０は、トッピング釦１１ｃ，１１ｄの押圧回数や押圧時間によって追加する砂糖パウダーやクリームパウダーの量が増加するように設定しておけば、追加する砂糖パウダーやクリームパウダーの量を購入者の好みに応じて変更できるので、より一層購入者の好みに応じたトッピング材の追加が可能となる。
【００２６】
ここで、自販機１は、トッピング装置１０を除いてカップ内調理機構（ＣＭＳ：　Ｃｕｐ　Ｍｉｘｉｎｇ　Ｓｙｓｔｅｍ）を有しない既存の自販機と構造が同一である。このため、本発明の自販機１は、既存の自販機に外付けの形でトッピング装置１０を設ければ、容易に組み立てることができる。しかも、原料を直接カップで受け、攪拌等すべての調理をカップ内で行い、完成した飲料の入ったカップをそのまま取出口へ出すカップ内調理機構を有している自販機の場合でも、トッピング装置１０を設けると、製造後の飲料にオレンジシロップ，キャラメルシロップ，メープルシロップ，レモンシロップ等のシロップ類や、ココア粉末，シナモンパウダ，チョコレートチップ，アーモンドチップ等を購入者の好みに応じて付加的にトッピングすることができ、自販機の応用範囲が大幅に広がる。
【００２７】
また、上述の実施の形態は、コーヒー飲料の場合について説明したが、これに限定されるものではなく、例えば、清涼飲料水，ココア，紅茶、さらにはこれらを任意に複合した自販機あるいは飲料以外の食べ物の自販機にも適用可能である。さらに、トッピング装置１０は、自販機１の中に内蔵されていてもよい。
【００２８】
【発明の効果】
以上説明したように、この発明によれば、機内で調理した飲食物を販売する自動販売機であって、調理後に添加材を付与する添加装置が設けられているので、調理された飲食物を味見した後で、トッピング材等の添加材を追加することができ、購入者の好みを満たす自動販売機を提供することができるという効果を奏する。
【図面の簡単な説明】
【図１】この発明の実施の形態１であるコーヒー飲料のカップ式自動販売機を示す斜視図である。
【図２】図１に示すカップ式自動販売機におけるトッピング装置の拡大図である。
【図３】図１のカップ式自動販売機の構成を示すブロック図である。
【図４】図１のカップ式自動販売機におけるトッピング装置の作動を示す断面側面図である。
【図５】従来のカップ式自動販売機における飲料製造にかかわる部分を示す内部構造図である。
【符号の説明】
１　自動販売機（自販機）
２　キャビネット
２ａ　前扉
３　選択釦
４　取出口
５　制御装置
１０　トッピング装置
１１　筐体
１１ａ，１１ｂ　表示窓
１１ｃ，１１ｄ　トッピング釦
１２，１３　キャニスタ
Ｃ　カップ
Ｃ１〜Ｃ３　　キャニスタ
【図１】
2004145602.tif 000003
【図２】
2004145602.tif 000004
【図３】
2004145602.tif 000005
【図４】
2004145602.tif 000006
【図５】
2004145602.tif 000007